(57)【要約】 【課題】自家中毒が発生し難い植物の連作障害抑制剤を提供しようとするもの。 【解決手段】土壌に散布することにより植物から分泌された生成抑制物質を分解する電解次亜塩素酸を含有することを特徴とする。該薬剤を散布することにより土壌に電解次亜塩素酸を作用させることになり、この電解次亜塩素酸により植物から分泌された生成抑制物質を分解して低減乃至消滅させることが出来る。前記薬剤の成分が淡水で土中に洗い流された後に植物を植えるようにしてもよい。【選択図】なし【特許請求の範囲】
【請求項１】
土壌に散布することにより植物から分泌された生成抑制物質を分解する電解次亜塩素酸を含有することを特徴とする連作障害抑制剤。
【請求項２】
前記薬剤の成分が淡水で土中に洗い流された後に植物を植えるようにした請求項１記載の連作障害抑制剤。
【請求項３】
前記薬剤の分解成分が淡水で土中に洗い流された後に植物を植えるようにした請求項１記載の連作障害抑制剤。
【請求項４】
前記淡水として自然の降雨を利用するようにした請求項２記載の連作障害抑制剤。
【発明の詳細な説明】
【技術分野】
【０００１】
この発明は、植物の自家中毒が発生し難い連作障害抑制剤に関するものである。
【背景技術】
【０００２】
これまでイチゴの養液栽培では培養液を系外に排出するかけ流し方式が多くみられたが、環境への配慮や水・肥料の効率的利用のために、培養液を系外に排出しないいわゆる閉鎖系にすることを検討した。
ところが、閉鎖系の養液栽培にすると生育後半に原因不明の収量低下が発生した。原因を追求していくと、培養液を交換せずにイチゴの養液栽培を行うと、根から生成抑制物質（アレロパシー）が培養液中に滲出して蓄積していき、栄養生長及び生殖生長の阻害すなわち自家中毒が発生するものと推測された。すなわち、閉鎖系養液栽培において、生育後半の収量低下は根から滲出し培養液中に蓄積された生長抑制物質によって引き起こされるものと考えられた。
このような自家中毒による栄養生長や生殖生長の阻害は、培養液中に蓄積される生育抑制物質を除去することにより回避できるものと考えられ、その方法として活性炭による生育抑制物質の吸着等を発明者は提案した（特許文献１参照）。
しかし、前記のように活性炭を用いた場合、そのコストや使用後の回収・処理について実用上の問題があった。
【特許文献１】特開２００４−２６７１４０号公報（段落００３５等）
【発明の開示】
【発明が解決しようとする課題】
【０００３】
そこでこの発明は、自家中毒が発生し難い植物の連作障害抑制剤を提供しようとするものである。
【課題を解決するための手段】
【０００４】
前記課題を解決するためこの発明では次のような技術的手段を講じている。 
(１)この発明の連作障害抑制剤は、土壌に散布することにより植物から分泌された生成抑制物質を分解する電解次亜塩素酸を含有することを特徴とする。
前記植物とは生成抑制物質を分泌するものをいい、トマト、メロン、きゅうり、かぼちゃなどを例示することが出来る。
【０００５】
このように構成すると、該薬剤を散布することにより土壌に電解次亜塩素酸を作用させることになり、この電解次亜塩素酸により植物から分泌された生成抑制物質を分解して低減乃至消滅させることが出来る。
前記電解水は、食塩水を電気分解することにより、例えば残留塩素濃度20〜500ppm（200ppm）となるように設定することが出来る。また前記電解水は、土壌として１ｍ２の敷地当たり例えば電解水300リットルを散布することが出来る。
【０００６】
(２) 前記薬剤の成分が淡水で土中に洗い流された後に植物を植えるようにしてもよい。
前記淡水とは、次亜塩素酸を洗い流すことが出来る水をいい、植物の生育に悪影響を与えない水をいう。
このように構成すると、生成抑制物質を分解した残余の次亜塩素酸を土中の下方に洗い流して、植物に対する残留塩素の悪影響を好適に回避することが出来る。このように淡水でリンスすると何回でも連作することができる。
また、前記薬剤の分解成分が淡水で土中に洗い流された後に植物を植えるようにしてもよい。
このように構成すると、生成抑制物質の分解成分である食塩を土中の下方に洗い流して、植物に対する塩害の悪影響を好適に回避することが出来る。このように淡水でリンスすると何回でも連作することができる。
【０００７】
（３）前記淡水として自然の降雨を利用するようにしてもよい。
このように構成すると、天候の変化を有効に利用して淡水の消費を節約することが出来る。
【発明の効果】
【０００８】
この発明は上述のような構成であり、次の効果を有する。 
電解次亜塩素酸により植物から分泌された生成抑制物質を分解することが出来るので、自家中毒が発生し難い植物の連作障害抑制剤を提供することが出来る。
【発明を実施するための最良の形態】
【０００９】
以下、この発明の実施の形態を説明する。 
この実施形態の連作障害抑制剤は、土壌に散布することにより植物から分泌された生成抑制物質（アレロパシー、例えば安息香酸C6H5COOH）を分解する電解次亜塩素酸（ＨＯＣｌ）を含有するようにしている。前記土壌として、畑、田んぼ、プランターなどを例示することが出来る。
前記植物とは生成抑制物質を分泌するものをいい、この実施形態ではトマトを使用したが、その他にメロン、きゅうり、かぼちゃなどの農作物に適用することが出来る。
【００１０】
前記電解次亜塩素酸は、例えば12％次亜塩素酸ナトリウム（ＮａＯＣｌ）水溶液を電気分解したり、３％程度の食塩（ＮａＣｌ）水を電気分解し、これらを希釈することにより、又はより低濃度のものを電気分解することにより、残留塩素濃度20〜500ppmとなるように設定することが出来る。前記電解次亜塩素酸は、土壌として１ｍ２の敷地当たり例えば電解水300リットルを散布することが出来る。
【００１１】
植物の根から、その近傍に生成抑制物質が分泌される。これが他の植物の繁殖を抑制するわけであるが、連作すると自分自身の繁殖が抑制されことになる。そこで、前記薬剤（連作障害抑制剤）の成分（電解次亜塩素酸）が植物から分泌された生成抑制物質を分解し、その後に淡水で余剰電解次亜塩素酸やその分解物である食塩（Na、Cl）が土中で下方に洗い流されてから、次の植物を植えるようにして、残留塩素や塩害の影響を抑制するようにしている。前記淡水とは、次亜塩素酸や食塩を洗い流すことが出来る水をいい、植物の生育に悪影響を与えない水をいう。前記淡水として、自然の降雨を利用することが出来る。
【００１２】
そして、安息香酸など一般的に有機化合物から成る生成抑制物質は土壌に付着したりして水では洗い流し難いが、電解次亜塩素酸で分解してから淡水を及ぼすことにより好適に土中深く移行せしめていくことが出来る。
【００１３】
次に、この実施形態の連作障害抑制剤の使用状態を説明する。 
この連作障害抑制剤は前記のように構成したので、該薬剤を散布することにより土壌に電解次亜塩素酸を作用させることになり、この電解次亜塩素酸により植物から分泌された生成抑制物質を分解して低減乃至消滅させることが出来、自家中毒が発生し難いという利点がある。
【００１４】
また、前記薬剤（連作障害抑制剤）の成分が植物から分泌された生成抑制物質を分解し、その後に淡水で土中の下方に洗い流されてから、次の植物を植えるようにしているので、生成抑制物質を分解した残余の電解次亜塩素酸を土中の下方に洗い流して、植物に対する残留塩素の悪影響を好適に回避することが出来る。このように淡水でリンスすると何回でも連作することができるという利点がある。
さらに、前記淡水として自然の降雨を利用するようにしているので、天候の変化を有効に利用して淡水の消費を節約することが出来るという利点がある。
【００１５】
〔実施例〕
果実や根菜類などの収穫を採取後の植物の根を抜いて連作障害抑制剤を散布し、整地して土壌を熟成させ、散布した連作障害抑制剤中の次亜塩素酸が降雨で土中に浸漬していき、越冬し、2〜3ヶ月置いて次年度のトマトを植えたら、前年の連作障害を被ることなく収穫することが出来た。また、メロンを年４回植えて、連作障害なしに収穫することが出来た。
【産業上の利用可能性】
【００１６】
自家中毒が発生し難いことによって、種々の農作物の栽培の用途に適用することができる。